(57)【要約】【課題】  サンダルの表層部に形成された多数の突起が足裏のつぼをほぼ均等に且つソフトに刺激するようにし、長時間にわたって履いても、刺激による痛みを感ずることなく、不快感を与えないようにすること。【解決手段】  本発明の健康サンダルは、多数の突起を有する表層部の下面に、前記突起の高さ寸法とほぼ同じ程度かそれ以上の厚みを有する低反発性のクッション部材を配設した構成にすることによって、使用者の足裏の起伏状態によっては、クッション部材の沈み込みに部分的にバラツキが生ずるようになるが、低反発性で沈み込みのストロークが大きいため、沈み込みにバラツキがあっても、突起と足裏とは全面的にソフトな接触状態が維持されて痛みを伴わない適度な刺激が与えられるのであり、履き心地が良くてしかも長時間にわたって履いて歩行しても、痛感や不快感を与えないのである。【選択図】  図１
2005080828.tif 000002
【特許請求の範囲】
【請求項１】
少なくとも接地部材と、多数の突起を有する表層部と、甲皮部とからなる本体部を備えたサンダルであって、
前記表層部の下面に、前記突起の高さ寸法とほぼ同じ程度かそれ以上の厚みを有する低反発性のクッション部材を配設したこと
を特徴とする健康サンダル。
【請求項２】
前記本体部には、中芯部材が接地部材の上面に配設され、
前記クッション部材は、中芯部材と表層部との間に介在させたこと
を特徴とする請求項１に記載の健康サンダル。
【請求項３】
前記本体部の周囲で、接地部材を除く位置に化粧カバーを巻き付けて配設したこと
を特徴とする請求項１または２に記載の健康サンダル。
【請求項４】
前記クッション部材の厚みは、７〜１５ｍｍの範囲であること
を特徴とする請求項１または２に記載の健康サンダル。
【発明の詳細な説明】
【技術分野】
【０００１】
本発明は、サンダルの表層部に足裏に適度の刺激を与えるための多数の突起を有するものであり、且つ、長時間の使用によっても刺激を緩和して苦痛を与えないようにした健康サンダルに関するものである。
【背景技術】
【０００２】
サンダルの表層部に、足裏に適度の刺激を与えるための多数の突起を有するものであって、そのサンダルを履くことによって足裏のつぼを刺激して血行を良くする健康サンダルとして、種々の構成のものが実用化されている。
【０００３】
しかし、この実用化されている健康サンダルは、表層部に形成された多数の突起が足裏のつぼを刺激することは確かであるが、多数の突起を有する表層部は固い接地底部材に直接取り付けられていること、および突起が無垢の状態で形成されていることによって、そのサンダルを履いて歩行した時に、無垢の突起に体重が掛かって足裏に強い刺激が与えられ、長時間にわたって履いていると、その強い刺激が痛みに感ずるようになり、却って不快感を与えるようになるという問題点を有するものである。
【０００４】
そこで、上記の問題点を解決するために、例えば、突起を柔らかい材質で形成することが考えられるが、突起を柔らかい材質で形成すると、突起の腰が折れやすく復元性に劣るようになり耐久性に問題が生ずるようになるとして、これらの各問題を解決するために、サンダル本体の表面に設ける突起板に突起を多数突設すると共に、この各突起を中空状とし、且つその頂面に中央部頂面が少し盛り上がり、その外周部を薄肉状とした凹凸形状に形成した構成の健康サンダルが提案され、この中空状の突起と、その頂部の凹凸面とにより所要の強度と復元性をもたせ足裏面との接触感覚を柔らかくして長時間続けて履いても痛感や不快感を与えないというものである。
【０００５】
ところで、上記提案された健康サンダルにおいて、中空状の突起は、その頂面に中央部頂面が少し盛り上がり、その外周部を薄肉状とした凹凸形状に形成した構成を有するものであるが、サンダルの表層部に形成される突起は大小・高低が様々であり、個々の突起を独立した中空状に形成すること自体が困難であると共に、その個々の突起における頂部を中央の盛り上がりと外周部の薄肉状の凹凸形状に形成することが更に困難なものとなっており、構成的に製造が困難であることから実現性を欠如するものであり、今日まで市場に出現したことはないのである。
【特許文献１】実公昭６３−１８３２１号公報
【０００６】
一般に実用化されている健康サンダルは、突起が無垢の状態で形成された表層部を固い接地底部材に直接取り付けられている構成であり、その無垢の突起群は一般的な足裏の起伏に沿うように、例えば、土踏まずの部分を高く形成しているが、それでも利用する各個人の足裏の起伏とサンダル表層部における突起群の起伏状況とが必ずしも一致するとは限らず、実際の使用において一部の突起に対して体重が集中して掛かるため、一部の足裏に強い刺激が与えられるので、長時間にわたって履いていると、それが却って痛感や不快感を与える結果になるものと考えられる。
【発明の開示】
【発明が解決しようとする課題】
【０００７】
従来技術に対して解決しようとする課題は、製造が容易であると共に、サンダルの表層部に形成された多数の突起が足裏のつぼをほぼ均等に且つソフトに刺激するようにし、長時間にわたって履いても、刺激による痛みを感ずることなく、不快感を与えないようにした健康サンダルを提供することである。
【課題を解決するための手段】
【０００８】
本発明は、少なくとも接地部材と、多数の突起を有する表層部と、甲皮部とからなる本体部を備えたサンダルであって、前記表層部の下面に、前記突起の高さ寸法とほぼ同じ程度かそれ以上の厚みを有する低反発性のクッション部材を配設したことを最も主要な特徴とする健康サンダルである。
【０００９】
本発明の健康サンダルは、前記本体部には、中芯部材が接地部材の上面に配設され、前記クッション部材は、中芯部材と表層部との間に介在させたこと；前記本体部の周囲で、接地部材を除く位置に化粧カバーを巻き付けて配設したこと；および、前記クッション部材の厚みは、７〜１５ｍｍの範囲であること、を付加的な要件として含むものである。
【発明の効果】
【００１０】
本発明の健康サンダルは、多数の突起を有する表層部の下面に、前記突起の高さ寸法とほぼ同じ程度かそれ以上の厚みを有する低反発性のクッション部材を配設したことによって、使用者の足裏の起伏状態によっては、クッション部材の沈み込みに部分的にバラツキが生ずるようになるが、低反発性で沈み込みのストロークが大きいため、沈み込みにバラツキがあっても、突起と足裏とは全面的にソフトな接触状態が維持されて痛みを伴わない適度な刺激が与えられるのであり、履き心地が良くてしかも長時間にわたって履いて歩行しても、痛感や不快感を与えないのである。
また、表層部の突起は、無垢の状態で突出形成され、利用者の足裏の起伏状態に対応させなくても厚手のクッション部材を本体部内に介在させれば良いのであり、しかも、本体部を形成する各部材は、単に積層させて一体化するのみであるので、その製造が容易になるのである。
【発明を実施するための最良の形態】
【００１１】
表層部に多数の突起を有するサンダルを履いて足裏のつぼを刺激して健康増進に役立てるという目的を、長時間にわたって履いても、刺激による痛みを感ずることなく、また不快感を与えることなく、ソフトな刺激になるように構成したことによって実現したものである。
【実施例１】
【００１２】
図１は、本発明に係る健康サンダルの一実施例を示す斜視図であり、図２は、同サンダルの要部を拡大して示した断面図である。健康サンダル１は、本体部２と該本体部２の上面にアーチ状に取り付けた甲皮部３とから概ね構成されている。
【００１３】
本体部２は、図２に示したように、接地部材４と、中芯部材５と、クッション部材６と、表層部７とを積層状態に積み重ねて一体化したものであり、本体部２の周囲には化粧カバー８を巻き付けるようにして取り付けるものである。
【００１４】
接地部材４は、例えば、硬質のウレタンゴム等の材料で形成され、接地面側には適宜の凹凸部を設けて滑り止め加工を施してある。中芯部材５は、例えば、サンダル形状を維持するために硬質で軽量な発砲ウレタン樹脂等で形成されている。
【００１５】
クッション部材６は、所謂スポンジ状のものであって、例えば、低反発性の軟質発泡ウレタン樹脂で形成され、比較的厚手のシート状のものが使用される。表層部７は、例えば、軟質で可撓性を有する樹脂で形成されたものであり、その表面側には足裏の起伏に略沿って多数の大小の突起９が形成されたものであって、従来から健康サンダルの表層部として使用されているものがそのまま使用できるものである。
【００１６】
そして、本体部２の形成については、例えば、表層部７に対して、アーチ状にした甲皮部３の両下端部とベルト状の化粧カバー８の上縁部とを表層部７の上面縁部に沿って逢着手段により取り付け、表層部７の下面にクッション部材６と中芯部材５とを重ね、化粧カバー８の下端縁を中芯部材５の下面側に所要長さ折り込み、サンダルとしての形状を整えながら適宜の接着剤等を用いて接着させるものである。
【００１７】
このように表層部７の上面にアーチ状の甲皮部３を取り付けると共に、表層部７の下面側にクッション部材６と中芯部材５とを積層し、周囲を化粧カバー８で包み込むことによって体裁が整えられるのであり、その後に適宜厚さの接地部材４を同じく接着手段により中芯部材５の下面側に取り付けて健康サンダル１が完成するのである。
【００１８】
この場合に、クッション部材６の厚さは、表層部７に形成した多数の突起９の内で最も高い長さ寸法とほぼ同じ程度かそれ以上、例えば、７〜１５ｍｍ程度であって、低反発性と相俟って部分的な突起９の沈み込みを容易に許容できるようになっているのである。つまり、クッション部材６を厚くしたことによって、沈み込みのストロークを大きくして、足裏に対する突起９の当接をソフトタッチにできるのである。
【００１９】
このように形成された本発明の健康サンダル１は、図３に示したように、表層部７の突起９が、一応仮想線ａで示した標準的な足裏の起伏にほぼ対応するように、その大きさと高さが設定されて形成されており、標準的な足裏の起伏を有する人が履くことによって、表層部７の突起９が足裏にほぼ均等に当接し、クッション部材６が全面的にほぼ均等に圧縮されて沈み込むものであり、しかも、低反発性であるため足裏とソフトな接触状態が維持され、痛みを伴わない適度な刺激が与えられるのである。
【００２０】
しかしながら、この仮想線ａで示した足裏の起伏が万人に共通するわけではないのであり、例えば、図４に示したように、土踏まずが少ない、所謂、仮想線ｂで示したような扁平足の人が履いた場合には、突起９を介して掛かる重力で、クッション部材６の沈み込みに部分的にバラツキが生ずるようになるが、クッション部材６自体が低反発性で沈み込みのストロークが大きいため、沈み込みにバラツキがあっても、突起と足裏とが全面的にソフトな接触状態が維持されて痛みを伴わない適度な刺激が与えられるのであり、長時間にわたって履いて歩行しても、不快感を与えないのである。
【００２１】
いずれにしても、本発明のサンダルにおいては、突起９を有する表層部７の下部に、比較的厚みのある（８〜１２ｍｍ）低反発性のクッション部材６を配設したことによって、表層部７の全体的な沈み込みと部分的な沈み込みとを吸収して、突起９と足裏とはソフトな接触状態が維持されるのであり、また、クッション部材６が深く沈み込んでも、周囲の化粧カバー８が外側に膨らんで表層部７の上下動を外部から視認出来ないようにして、全体の体裁が良くなっているのである。
【産業上の利用可能性】
【００２２】
足裏のつぼを刺激するための突起９を有する表層部７が取り付けられた健康サンダルにおいて、表層部７の下面に、沈み込みのストロークが大きく且つ低反発性のクッション部材６を配設したことによって、足裏に対する突起９の接触状態を全体的にも部分的にもソフトに維持できるので、つぼの刺激がそれほど過激にならないのであり、痛感や不快感を与えないことから、全ての履き物に利用することができるのである。
【図面の簡単な説明】
【００２３】
【図１】本発明の具体的な実施例に係る健康サンダルを示した斜視図である。
【図２】同実施例の健康サンダルの要部を拡大して示した断面図である。
【図３】同実施例の健康サンダルの使用時における突起と足裏との一例の当接状態を説明するための略示的断面図である。
【図４】同実施例の健康サンダルの使用時における突起と足裏との他の例の当接状態を説明するための略示的断面図である。
【符号の説明】
【００２４】
１    サンダル
２    本体部
３    甲皮部
４    接地部材
５    中芯部材
６    クッション部材
７    表層部
８    化粧カバー
９    突起
【図１】
2005080828.tif 000003
【図２】
2005080828.tif 000004
【図３】
2005080828.tif 000005
【図４】
2005080828.tif 000006